(57)【要約】【課題】ユーザの意図に反する着信応答を防止することができる携帯端末及びこの携帯端末における着信応答方法を提供する。【解決手段】携帯電話１０に、画像を表示すると共にユーザによる操作入力を受け付けるタッチパネル１２と、他の通信端末からの着信を受け付ける着信受付部１８と、着信受付部１８が着信を受け付けた後にタッチパネル１２に対向する側の空間の画像を撮影する撮影部２０と、撮影部２０により撮影された画像がタッチパネル１２を向いた人間の顔の画像であるか否かを認識する顔認識部２２と、顔認識部２２による認識結果に応じて着信受付部１８によって受け付けた着信の応答の可否を判定する応答可否判定部２８と、応答可否判定部２８が着信応答を行うと判定した場合に着信応答処理を行う着信応答処理部３０と、を設ける。この構成により、ユーザの意図に反する着信応答を防止できる。【選択図】図２
2013197702.tif 000002
【特許請求の範囲】
【請求項１】
画像を表示すると共にユーザによる操作入力を受け付けるタッチパネルと、
他の通信端末からの着信を受け付ける着信受付手段と、
前記着信受付手段が着信を受け付けた後に前記タッチパネルに対向する側の空間の画像を撮影する撮影手段と、
前記撮影手段により撮影された前記画像が前記タッチパネルを向いた人間の顔の画像であるか否かを認識する顔認識手段と、
前記顔認識手段による認識結果に応じて前記着信受付手段によって受け付けた着信の応答の可否を判定する応答可否判定手段と、
前記応答可否判定手段が着信応答を行うと判定した場合に着信応答処理を行う着信応答処理手段と、を備え、
前記応答可否判定手段は、前記撮影手段により撮影された前記画像が前記タッチパネルを向いた人間の顔の画像であると前記顔認識手段が認識した場合には、着信応答を行うと判定することを特徴とする携帯端末。
【請求項２】
前記タッチパネルに着信応答用画像を表示させる表示制御手段と、
前記表示制御手段によって前記着信応答用画像が表示された領域に対する前記ユーザの操作入力を受け付ける入力受付手段と、をさらに備え、
前記着信応答処理手段は、前記入力受付手段が前記ユーザの操作入力を受け付けた後であり、かつ、前記応答可否判定手段が着信応答を行うと判定した場合に着信応答処理を行うことを特徴とする請求項１に記載の携帯端末。
【請求項３】
前記携帯端末の鉛直又は水平方向に対する傾斜度である端末傾斜度を計測する端末傾斜度計測手段をさらに備え、
前記応答可否判定手段は、前記撮影手段により撮影された前記画像が前記タッチパネルを向いた人間の顔の画像であると前記顔認識手段が認識した場合に、前記端末傾斜度計測手段が計測した前記端末傾斜度が第１のしきい値よりも小さいことを条件として、着信応答を行うと判定することを特徴とする請求項１又は２に記載の携帯端末。
【請求項４】
前記撮影手段により撮影された前記画像が前記タッチパネルを向いた人間の顔の画像である場合に前記顔の前記携帯端末に対する傾斜度である顔傾斜度を計算する顔傾斜度計算手段をさらに備え、
前記応答可否判定手段は、前記端末傾斜度計測手段が計測した前記端末傾斜度が前記第１のしきい値よりも大きい場合に、前記顔傾斜度計算手段が計算した前記顔傾斜度が第２のしきい値よりも小さいことを条件として、着信応答を行うと判定することを特徴とする請求項３に記載の携帯端末。
【請求項５】
前記撮影手段は、前記タッチパネルへの前記ユーザの操作入力を契機として動作を開始することを特徴とする請求項１〜４のいずれか１項に記載の携帯端末。
【請求項６】
前記撮影手段は、他の通信端末からの着信があったことを契機として動作を開始することを特徴とする請求項１〜５のいずれか１項に記載の携帯端末。
【請求項７】
画像を表示すると共にユーザによる操作入力を受け付けるタッチパネルを備える携帯端末における着信応答方法であって、
他の端末からの着信を受け付ける着信受付ステップと、
前記着信受付ステップにおいて着信を受け付けた後に前記タッチパネルに対向する側の空間の画像を撮影する撮影ステップと、
前記撮影ステップにおいて撮影された前記画像が前記タッチパネルを向いた人間の顔の画像であるか否かを認識する顔認識ステップと、
前記顔認識ステップにおける認識結果に応じて前記着信受付ステップにおいて受け付けた着信の応答の可否を判定する応答可否判定ステップと、
前記応答可否判定ステップにおいて着信応答を行うと判定した場合に着信応答処理を行う着信応答処理ステップと、を備え、
前記応答可否判定ステップでは、前記撮影ステップにおいて撮影された前記画像が前記タッチパネルを向いた人間の顔の画像であると前記顔認識ステップにおいて認識した場合には、着信応答を行うと判定することを特徴とする着信応答方法。
【発明の詳細な説明】
【技術分野】
【０００１】
本発明は、タッチパネルを備える携帯端末及びこの携帯端末における着信応答方法に関する。
【背景技術】
【０００２】
従来、タッチパネルを備える携帯端末においては、誤操作防止のため、着信応答時に、例えば着信応答用のアイコンをスライド動作させるなどの所定の操作をユーザが行ったことを検知して着信応答を行っていた。ところが、近年は小型携帯端末が増えており、このような小型携帯端末においては、タッチパネルの画面サイズが小さいため、アイコンをスライド動作させるための領域が狭く、スライド操作を行うことが難しい。そのため、小型携帯端末では、例えば下記特許文献１に記載されるエニーキーアンサー機能をタッチパネルに適用することにより、タッチパネルのどの領域がタッチされても着信応答を行うことができるようにしている。
【先行技術文献】
【特許文献】
【０００３】
【特許文献１】特開２０１１−１１４５６９号公報
【発明の概要】
【発明が解決しようとする課題】
【０００４】
しかしながら、このような小型携帯端末にエニーキーアンサーなどの方法を適用した場合、かかる小型携帯端末をカバンやポケットの中などに入れているときに着信があると、ユーザがカバンやポケットから小型携帯端末を取り出すときに意図せずにタッチパネルに接触してしまい、このタッチパネルへの接触を契機としてユーザの意図に反する着信応答を行ってしまう場合があった。
【０００５】
そこで、本発明は、ユーザの意図に反する着信応答を防止することができる携帯端末及びこの携帯端末における着信応答方法を提供することを目的とする。
【課題を解決するための手段】
【０００６】
上記の課題を解決するために、本発明に係る携帯端末は、画像を表示すると共にユーザによる操作入力を受け付けるタッチパネルと、他の通信端末からの着信を受け付ける着信受付手段と、着信受付手段が着信を受け付けた後にタッチパネルに対向する側の空間の画像を撮影する撮影手段と、撮影手段により撮影された画像がタッチパネルを向いた人間の顔の画像であるか否かを認識する顔認識手段と、顔認識手段による認識結果に応じて着信受付手段によって受け付けた着信の応答の可否を判定する応答可否判定手段と、応答可否判定手段が着信応答を行うと判定した場合に着信応答処理を行う着信応答処理手段とを備えている。この携帯端末では、応答可否判定手段は、撮影手段により撮影された画像がタッチパネルを向いた人間の顔の画像であると顔認識手段が認識した場合には、着信応答を行うと判定することを特徴としている。
【０００７】
また、上記の課題を解決するために、本発明に係る着信応答方法は、画像を表示すると共にユーザによる操作入力を受け付けるタッチパネルを備える携帯端末における着信応答方法であって、他の端末からの着信を受け付ける着信受付ステップと、着信受付ステップにおいて着信を受け付けた後にタッチパネルに対向する側の空間の画像を撮影する撮影ステップと、撮影ステップにおいて撮影された画像がタッチパネルを向いた人間の顔の画像であるか否かを認識する顔認識ステップと、顔認識ステップにおける認識結果に応じて着信受付ステップにおいて受け付けた着信の応答の可否を判定する応答可否判定ステップと、応答可否判定ステップにおいて着信応答を行うと判定した場合に着信応答処理を行う着信応答処理ステップとを備えている。この着信応答方法では、応答可否判定ステップにおいて、撮影ステップで撮影された画像がタッチパネルを向いた人間の顔の画像であると顔認識ステップで認識した場合には、着信応答を行うと判定することを特徴としている。
【０００８】
この携帯端末又は着信応答方法によれば、他の端末からの着信を受け付けた後、タッチパネルに対向する側の空間の画像を撮影し、撮影された画像がタッチパネルを向いた人間の顔の画像であるか否かを認識し、認識結果に応じて、受け付けた着信の応答の可否を判定している。そして、着信応答を行うと判定した場合に、着信応答処理を行うが、撮影された画像がタッチパネルを向いた人間の顔の画像でない場合には、着信応答を行わない。この場合、ユーザの操作入力が顔をタッチパネルに向けずに行われた意図的でないものであると、着信応答処理を行わないようにすることができる。したがって、本発明によれば、ユーザの意図に反する着信応答を防止することができる。
【０００９】
上記携帯端末において、タッチパネルに着信応答用画像を表示させる表示制御手段と、表示制御手段によって着信応答用画像が表示された領域に対するユーザの操作入力を受け付ける入力受付手段と、をさらに備え、着信応答処理手段は、入力受付手段がユーザの操作入力を受け付けた後であり、かつ、応答可否判定手段が着信応答を行うと判定した場合に着信応答処理を行うようにしてもよい。この場合、ユーザの操作入力を受け付けた後に着信応答処理が行われるため、ユーザの意図に反する着信応答をより確実に防止することができる。
【００１０】
上記携帯端末において、携帯端末の鉛直又は水平方向に対する傾斜度である端末傾斜度を計測する端末傾斜度計測手段をさらに備え、応答可否判定手段は、撮影手段により撮影された画像がタッチパネルを向いた人間の顔の画像であると顔認識手段が認識した場合に、端末傾斜度計測手段が計測した端末傾斜度が第１のしきい値よりも小さいことを条件として、着信応答を行うと判定するようにしてもよい。この場合、撮影された画像がタッチパネルを向いた人間の顔の画像である場合に、端末傾斜度が第１のしきい値よりも小さいことを条件として着信応答処理が行われるため、ユーザの顔がタッチパネルを向いた状態でユーザがタッチパネルに操作入力を行った場合でも、その操作入力が意図的でない偶然のものであって端末傾斜度が大きい場合には着信応答が行われない。したがって、ユーザの意図に反する着信応答をより確実に防止することができる。
【００１１】
上記携帯端末において、撮影手段により撮影された画像がタッチパネルを向いた人間の顔の画像である場合に顔の携帯端末に対する傾斜度である顔傾斜度を計算する顔傾斜度計算手段をさらに備え、応答可否判定手段は、端末傾斜度計測手段が計測した端末傾斜度が第１のしきい値よりも大きい場合に、顔傾斜度計算手段が計算した顔傾斜度が第２のしきい値よりも小さいことを条件として、着信応答を行うと判定するようにしてもよい。この場合、例えば、ユーザが寝転んだ状態で携帯端末を操作しているといったような、端末傾斜度が大きい場合であっても、顔傾斜度が小さい場合には、ユーザが携帯端末に対して意図的に操作入力を行っていることを推察できるので、着信応答が行われる。したがって、ユーザの意図に基づく着信応答を妨げられにくくすることができる。
【００１２】
上記携帯端末において、撮影手段は、タッチパネルへのユーザの操作入力を契機として動作を開始するようにしてもよい。この場合、ユーザの操作入力が行われるまでは撮影手段は動作しないため、携帯端末の消費電力を削減することができる。
【００１３】
上記携帯端末において、撮影手段は、他の通信端末からの着信があったことを契機として動作を開始するようにしてもよい。この場合、他の通信端末からの着信があるまでは撮影手段は動作しないため、携帯端末の消費電力を削減することができる。
【発明の効果】
【００１４】
本発明によれば、ユーザの意図に反する着信応答を防止することができる。
【図面の簡単な説明】
【００１５】
【図１】タッチパネルを備える携帯電話の一例を示す図である。
【図２】携帯電話の機能構成を示すブロック図である。
【図３】携帯電話のハードウェア構成を示す図である。
【図４】携帯電話の端末傾斜度を示す図である。
【図５】携帯電話で計算される顔傾斜度を示す図である。
【図６】着信応答の可否を判定する方法を示すフローチャートである。
【図７】携帯電話における着信操作を示す図である。
【図８】カメラ動作時における携帯電話の画面表示を示す図である。
【図９】着信応答を行った場合の携帯電話の画面表示を示す図である。
【図１０】着信応答の可否を判定する別の方法を示すフローチャートである。
【図１１】携帯電話における着信時の画面表示の別の例を示す図である。
【発明を実施するための形態】
【００１６】
以下、図面を参照して、本発明に係る好適な実施形態について詳細に説明する。なお、図面の説明において、可能な場合には、同一要素には同一符号を付し、重複する説明を省略する。
【００１７】
本実施形態に係る携帯電話１０は、図１に示されるように、画像を表示すると共にユーザによる操作入力を受け付けるタッチパネル１２と、画像を撮影するためのカメラ３２とを含んで構成される。本実施形態では、以下、携帯電話１０を例にとって説明するが、本発明の携帯端末は、タッチパネル１２を備えた携帯端末であればよく、携帯電話に限らず、例えばタッチパネル型のパーソナルコンピュータなどに本発明を適用してもよい。
【００１８】
図２に示されるように、携帯電話１０は、機能的には、タッチパネル１２、表示制御部１４（表示制御手段）、入力受付部１６（入力受付手段）、着信受付部１８（着信受付手段）、撮影部２０（撮影手段）、顔認識部２２（顔認識手段）、端末傾斜度計測部２４（端末傾斜度計測手段）、顔傾斜度計算部２６（顔傾斜度計算手段）、応答可否判定部２８（応答可否判定手段）及び着信応答処理部３０（着信応答処理手段）を備えている。
【００１９】
ここで、図３に示されるように、この携帯電話１０は、物理的には、ＣＰＵ１０ａ、ＲＡＭ１０ｂ、ＲＯＭ１０ｃ、入力装置１０ｄ、出力装置１０ｅ、通信装置１０ｆ、記録装置１０ｇ及び加速度センサ１０ｈを備えており、これらのハードウェアはバス１０ｊに接続されている。ＣＰＵ１０ａは、ＲＯＭ１０ｃや記録装置１０ｇ等の内蔵メモリに格納された所定のコンピュータソフトウェア（図６，１０に示す携帯電話１０の行う処理を実行するためのコンピュータプログラム等を含む）をＲＡＭ１０ｂにロードして実行することにより、携帯電話１０を統括的に制御する。
【００２０】
入力装置１０ｄは、タッチパネル１２の入力部等からなる入力用デバイスであり、入力されたデータをＣＰＵ１０ａに出力する。出力装置１０ｅは、例えばタッチパネル１２の表示部であり、ＣＰＵ１０ａから入力された画像情報等を表示する。通信装置１０ｆは、通信網等を介して他の携帯電話との間で通話や通信を行うためのインターフェイスを有する。記録装置１０ｇは、ＣＰＵ１０ａの実行可能なコンピュータソフトウェアを格納する。加速度センサ１０ｈは、携帯電話１０の鉛直方向に対する傾斜度を計測するセンサであり、計測された傾斜度をＣＰＵ１０ａに出力する。後述する各機能は、ＣＰＵ１０ａがＲＯＭ１０ｃや記録装置１０ｇに格納されたコンピュータソフトウェアを実行し、図３に示す携帯電話１０の各構成部を動作させることにより実現される機能である。以下、図２に戻って、携帯電話１０の各機能ブロックについて説明する。
【００２１】
タッチパネル１２は、ＬＣＤ等の表示画面とタッチパネル入力部とを含んで構成される。表示画面には、表示制御部１４による表示制御により、各種の画像情報が表示される。タッチパネル入力部は、この表示画面の略全面を覆うように配置される。タッチパネル入力部は、表示画面上に配置された際に表示画面に表示される各種情報が視認できる程度の透明度を有しており、入力の検出方式としては、抵抗膜方式、表面弾性波方式や静電容量方式などが適宜、選択され得る。
【００２２】
表示制御部１４は、タッチパネル１２に画像を表示させる制御を行う部分である。タッチパネル１２に表示させる画像としては、具体的には、着信応答用画像（図１参照）やカメラ３２で撮影した画像（図８（ａ）参照）、通話中画像（図９参照）等がある。図１に示すように、着信応答用画像は、例えば着信表示１２ａと着信応答ボタン１２ｂを含んで構成されている。着信表示１２ａは、着信があった旨並びに発信元の氏名及び電話番号等の情報を示す表示である。着信応答ボタン１２ｂは、ユーザが着信に応答するために行う操作入力を受け付けるためのアイコンである。
【００２３】
入力受付部１６は、タッチパネル１２に対する携帯電話１０のユーザの操作入力を受け付ける部分である。ユーザの操作入力としては、例えばタッチパネル１２へのタッチ操作がある。入力受付部１６は、ユーザの操作入力が行われた位置のタッチパネル１２における座標を検知し、タッチパネル１２に表示されているどのアイコンに対して入力操作が行われたのかを特定する。例えば、タッチパネル１２に着信応答用画像が表示されている場合に、ユーザが着信応答用画像中の着信応答ボタン１２ｂに相当する位置に対し操作入力を行った場合には、入力受付部１６は、着信応答ボタン１２ｂに対して操作入力があったことを示す情報を、着信応答処理部３０に送信する。
【００２４】
着信受付部１８は、他の端末からの携帯電話１０への着信を受け付ける部分である。着信受付部１８は、着信を受け付けると、着信があった旨の情報を入力受付部１６及び撮影部２０に送信する。
【００２５】
撮影部２０は、カメラ３２を用いて、タッチパネル１２に対向する側の空間の画像を撮影する部分である。この撮影部２０は、タッチパネル１２へのユーザの操作入力を契機として動作を開始する。撮影部は、撮影した画像の情報を顔認識部２２及び顔傾斜度計算部２６に送信する。
【００２６】
顔認識部２２は、撮影部２０により撮影された画像に対して画像認識処理を行い、この画像がタッチパネル１２を向いた人間の顔の画像であるか否かを認識する。この認識処理は、例えば、撮影された画像から目や鼻、口の位置を検出し、これらの位置に基づいて、撮影された画像が人の顔の画像であるか、また、撮影された画像が人の顔であった場合に、その人の顔はどのような方向を向いているかを計算することにより行うことができる。また、この認識処理には、例えば一般のカメラ等で利用されている、種々の公知の顔認識処理の手法を用いることができる。
【００２７】
端末傾斜度計測部２４は、加速度センサ１０ｈを用いて、携帯電話１０の鉛直方向に対する傾斜度である端末傾斜度を計測するための部分である。ここで、図４を用いて、端末傾斜度について説明する。ここでは、携帯電話１０の形状は略矩形となっており、携帯電話１０は側辺１０ｎを有しているものとする。この端末傾斜度は、側辺１０ｎと鉛直線のなす角αで表される。
【００２８】
顔傾斜度計算部２６は、撮影部２０により撮影された画像がタッチパネル１２を向いた人間の顔の画像である場合に、この顔の携帯電話１０に対する傾斜度である顔傾斜度を計算する部分である。この顔傾斜度は、例えば、図５に示すように、画像から鼻と２つの目の位置をそれぞれ抽出し、２つの目の中点と鼻の中心とを通る直線３４ａを求め、この直線３４ａと携帯電話１０の縦方向の中心線とのなす角βを計算することにより求められる。また、顔傾斜度は、例えば、２つの目を通る直線３４ｂと携帯電話１０の横方向の中心線とのなす角を計算することによっても求められる。
【００２９】
応答可否判定部２８は、顔認識部２２による認識結果、端末傾斜度計測部２４が計測した端末傾斜度α、及び顔傾斜度計算部２６が計算した顔傾斜度βに基づいて、着信受付部１８が受け付けた着信の応答の可否を判定する。この判定処理では、まず、顔認識部２２が、撮影部２０により撮影された画像がタッチパネル１２を向いた人間の顔であると認識したか否かを判定する。撮影部２０により撮影された画像がタッチパネル１２を向いた人間の顔であると認識されなければ、携帯電話１０に対する操作入力がユーザの意図的な操作ではなかったと判定して、その後の判定処理を中止する。次に、画像がタッチパネル１２を向いた人間の顔である場合に、端末傾斜度計測部２４で計測された端末傾斜度αが第１のしきい値である±４５°以内であれば、携帯電話１０が傾いていないと判定され、携帯電話１０に対する操作入力がユーザの意図的な操作であったと判定される。さらに、顔傾斜度計算部２６で計算された顔傾斜度βが第２のしきい値である±３０°以内であれば、カメラ３２に向かった顔がタッチパネル１２に対してまっすぐ向いていると判定し、端末に対する操作入力がユーザの意図的な操作であったと判定される。応答可否判定部２８は、以上で述べた判定処理によって、携帯電話１０に対する操作入力がユーザの意図的な操作であったと判定したときにのみ、着信受付部１８が受け付けた着信への応答を行うと判定する。なお、第１及び第２のしきい値の具体的な数値は、それぞれ４５°、３０°に限られるものではない。また、第１及び第２のしきい値として、全てのユーザに対して同一の固定値を適用するようにしてもよいし、個々のユーザがそれぞれ異なる値を設定できるようにしてもよい。
【００３０】
着信応答処理部３０は、応答可否判定部２８が着信応答を行うと判定した場合に着信応答処理を行う部分である。ここで、着信応答処理部３０は、応答可否判定部２８が着信応答を行うと判定したことに加えて、入力受付部１６が携帯電話１０のユーザの操作入力を受け付けたことを条件として、この条件が満たされたときにのみ着信応答を行う。
【００３１】
続いて、上述した構成を備えた携帯電話１０における着信応答方法について、図６を参照して詳細に説明する。
【００３２】
まず、他の端末からの着信があるか否かが、着信受付部１８により判定される（ステップＳ１１：着信受付ステップ）。着信がない場合は、一定の時間をおいて再びステップＳ１１に戻り、再度、着信の有無が判定される。
【００３３】
一方、ステップＳ１１において着信があった場合、図１に示すように、タッチパネル１２に着信表示１２ａ及び着信応答ボタン１２ｂが表示される。そして、ユーザが着信応答ボタン１２ｂに触れているか否かが判定される（ステップＳ１２）。ユーザが着信応答ボタン１２ｂに触れていなければ、一定の時間をおいて再びステップＳ１２に戻り、ユーザが着信応答ボタン１２ｂに触れているか否かが判定される。
【００３４】
一方、図７に示すように、ステップＳ１２においてユーザが指で着信応答ボタン１２ｂに触れていた場合は、カメラ３２が起動され、タッチパネル１２に対向する側の空間の画像の撮影がカメラ３２により行われる（ステップＳ１３：撮影ステップ）。このとき、図８（ａ）のように、カメラ３２が撮影した画像３４をタッチパネル１２に表示してユーザにカメラ３２が起動したことを意識させてもよいし、図８（ｂ）のように、タッチパネル１２に着信表示１２ａを表示させたまま、カメラ３２が撮影した画像３４を表示させず、ユーザにカメラ３２が起動したことを意識させないようにしてもよい。
【００３５】
そして、カメラ３２により撮影された画像が顔認識部２２によって認識され、タッチパネル１２を向いた人間の顔の画像であるか否かが判定される（ステップＳ１４：顔認識ステップ）。撮影された画像がタッチパネル１２を向いた人間の顔の画像でない場合には、カメラ３２が停止され（ステップＳ１５）、その後、ステップＳ１２に戻る。一方、撮影された画像がタッチパネル１２を向いた人間の顔の画像である場合には、携帯電話１０が傾いていない状態であるか否かが、端末傾斜度計測部２４によって計測された端末傾斜度αに基づいて、応答可否判定部２８により判定される（ステップＳ１６：応答可否判定ステップ）。
【００３６】
携帯電話１０が傾いていない状態であれば、応答可否判定部２８により着信応答を行ってよいと判定され、この判定結果を受けて、着信応答処理部３０により着信応答処理が行われる（ステップＳ１７：着信応答処理ステップ）。すなわち、タッチパネル１２の着信応答ボタン１２ｂへのユーザの操作が許可される。着信応答処理が行われると、携帯電話１０は通話中状態に移行する。この通話中状態においては、図９に示すように、タッチパネル１２に通話中表示１２ｃが表示される。なお、ステップＳ１４からステップＳ１７までの処理は、１秒程度の間に完了することが望ましい。
【００３７】
一方、ステップＳ１６において、携帯電話１０が傾いている状態であれば、カメラ３２によって撮影された画像に写った顔がタッチパネル１２に対してまっすぐ向いているか否かが、顔傾斜度計算部２６により計算された顔傾斜度βに基づいて、応答可否判定部２８により判定される（ステップＳ１８）。顔がタッチパネル１２に対してまっすぐ向いていれば、着信応答処理部３０により着信応答処理が行われる（ステップＳ１７）。一方、顔がタッチパネル１２に対してまっすぐ向いていなければ、着信応答を行わないことが応答可否判定部２８により判定され、この判定結果を受けて、着信応答を行うことが許可されず、再びステップＳ１４に戻る。
【００３８】
このように、本実施形態によれば、他の端末からの着信を受け付けた後、タッチパネル１２に対向する側の空間の画像を撮影し、撮影された画像がタッチパネル１２を向いた人間の顔の画像であるか否かを認識し、認識結果に応じて、受け付けた着信の応答の可否を判定している。そして、着信応答を行うと判定した場合に、着信応答処理を行うが、撮影された画像がタッチパネル１２を向いた人間の顔の画像でない場合には、着信応答を行わない。このため、ユーザの操作入力が顔をタッチパネル１２に向けずに行われた意図的でないものであると、着信応答処理を行わない。したがって、本実施形態によれば、ユーザの意図に反する着信応答が防止される。
【００３９】
また、本実施形態によれば、ユーザの操作入力を受け付けた後に着信応答処理が行われるため、ユーザの意図に反する着信応答がより確実に防止される。
【００４０】
さらに、本実施形態によれば、撮影された画像がタッチパネル１２を向いた人間の顔の画像である場合に、端末傾斜度αが第１のしきい値以内であることを条件として着信応答処理が行われるため、ユーザの顔がタッチパネル１２を向いた状態でユーザがタッチパネル１２に操作入力を行った場合でも、その操作入力が意図的でない偶然のものであって端末傾斜度αが大きい場合には着信応答が行われない。したがって、ユーザの意図に反する着信応答がより確実に防止される。
【００４１】
また、本実施形態によれば、端末傾斜度αが第１のしきい値よりも大きい場合にも、顔傾斜度βが第２のしきい値以内であることを条件として、着信応答を行うと判定されるため、例えば、ユーザが寝転んだ状態で携帯電話１０を操作しているといったような、端末傾斜度αが大きい場合であっても、顔傾斜度βが小さい場合には、ユーザが携帯電話１０に対して意図的に操作入力を行っていることを推察できるので、着信応答が行われる。したがって、ユーザの意図に基づく着信応答が妨げられにくくなる。
【００４２】
さらに、撮影部２０は、タッチパネル１２へのユーザの操作入力を契機として動作を開始するので、ユーザの操作入力が行われるまでは撮影部２０は動作しないため、携帯電話１０の消費電力が削減される。
【００４３】
（変形例）
次に、本実施形態の変形例について説明する。この変形例に係る携帯電話１０の構成は、上記の実施形態で説明したものと同様であるが、その動作が一部、上記の実施形態のものと異なっている。以下、変形例に係る携帯電話１０の動作について、図１０を参照しながら説明する。
【００４４】
まず、上記実施形態のステップＳ１１〜Ｓ１３（図６参照）と同様に、他の端末から着信があるかが判定され（ステップＳ２１：着信受付ステップ）、着信があった場合にユーザが着信応答ボタン１２ｂに触れているかが判定され（ステップＳ２２）、ユーザが着信応答ボタン１２ｂに触れていた場合にカメラが起動され、タッチパネル１２に対向する側の空間の画像の撮影がカメラ３２により行われる（ステップＳ２３：撮影ステップ）。
【００４５】
次に、カメラ３２によって撮影された顔がタッチパネル１２に対してまっすぐ向いているか否かが、顔傾斜度計算部２６により計算された顔傾斜度βに基づいて、応答可否判定部２８により判定される（ステップＳ２４）。顔がタッチパネル１２に対してまっすぐ向いていれば、着信応答を行ってよいと応答可否判定部２８により判定され、この判定結果を受けて、着信応答処理部３０により着信応答が行われる（ステップＳ２５：着信応答処理ステップ）。
【００４６】
一方、ステップＳ２４において、顔がタッチパネル１２に対してまっすぐ向いていなければ、カメラ３２によって撮影された画像が顔認識部２２によって認識され、この画像がタッチパネル１２を向いた人間の顔の画像であるか否かが判定される（ステップＳ２６：顔認識ステップ）。この画像がタッチパネル１２を向いた人間の顔の画像でない場合は、カメラ３２が停止され（ステップＳ２７）、その後、ステップＳ２２に戻る。
【００４７】
一方、ステップＳ２６において、カメラ３２によって撮影された画像がタッチパネル１２を向いた人間の顔の画像であると判定された場合は、携帯電話１０が傾いていない状態であるか否かが、端末傾斜度計測部２４によって計測された端末傾斜度αに基づいて、応答可否判定部２８により判定される（ステップＳ２８：応答可否判定ステップ）。携帯電話１０が傾いていない状態であれば、着信応答を行ってよいと応答可否判定部２８により判定され、この判定結果を受けて、着信応答処理部３０により着信応答が行われる（ステップＳ２５）。一方、携帯電話１０が傾いている状態であれば、着信応答を行わないと応答可否判定部２８により判定され、この判定結果を受けて、着信応答を行うことが許可されず（ステップＳ２９）、再びステップＳ２４に戻る。
【００４８】
このような動作を行う、変形例に係る携帯電話１０によっても、上記の実施形態と同様の作用・効果が得られる。
【００４９】
以上、本発明をその実施形態に基づき具体的に説明したが、本発明は、上記実施形態に限定されるものではない。例えば、上記実施形態では、携帯電話１０の端末傾斜度を計測するために加速度センサ１０ｈを使用したが、加速度センサ１０ｈに代えてジャイロセンサを使用してもよい。
【００５０】
また、図１に示した着信応答用画像では、右利きの人に合わせて着信応答ボタン１２ｂをタッチパネル１２の右下側に表示しているが、これに代えて、図１１（ａ）に示すように、左利きの人に合わせて着信応答ボタン１２ｂをタッチパネル１２の左下側に表示してもよい。さらに、特定の領域に着信応答ボタン１２ｂを表示するのではなく、図１１（ｂ）に示すように、タッチパネル１２のどの領域にユーザがタッチ操作を行った場合にもユーザの操作入力が行われたものとして取り扱うエニーキーアンサー方式を採用してもよい。
【００５１】
さらに、上記の実施形態においては、撮影部２０がタッチパネル１２へのユーザの操作入力を契機として動作を開始するものとして説明を行ったが、撮影部２０が、他の通信端末からの着信があったことを着信受付部１８が受け付けたことを契機として動作を開始するものとしてもよい。この場合には、携帯電話１０は、図６のステップＳ１３〜Ｓ１６，Ｓ１８の処理または図１０のステップＳ２３，Ｓ２４，Ｓ２６〜Ｓ２８の処理を実行しながら、その間に入力受付部１６が、ユーザがタッチパネル１２の着信応答ボタン１２ｂに対して操作入力を行ったかどうかの判定を行う。そして、入力受付部１６がユーザの操作入力を受け付けた後であり、かつ、応答可否判定部２８が着信応答を行うと判定した場合に、着信応答処理部３０が着信応答処理を行う。このような場合にも、上記の実施形態と同様の作用・効果が得られ、また、他の通信端末からの着信があるまでは撮影部２０は動作しないため、携帯電話１０の消費電力を削減することができる。
【００５２】
なお、携帯電話１０にイヤホンが接続されている場合には、ユーザはイヤホンを用いて例えば音楽を聴いている等の状態にあり、したがって、ユーザは携帯電話１０を使用している状態にあると考えられる。このため、携帯電話１０にイヤホンが接続されている場合には上記のユーザの顔の向きや端末傾斜度に基づく判定処理を省略して、ユーザによる操作入力があった場合には必ず着信応答を行うこととし、携帯電話１０にイヤホンが接続されていない場合にのみ上記の判定処理を行うようにしてもよい。
【００５３】
また、端末傾斜度計測部２４は、携帯電話１０の側辺１０ｎと鉛直線のなす角αを計測して端末傾斜度とするものとしたが、これに代えて、携帯電話１０の底辺と水平面のなす角を計測して、携帯電話１０の水平方向に対する傾斜度を計測して端末傾斜度とするものとしてもよい。
【符号の説明】
【００５４】
１０…携帯電話、１２…タッチパネル、１４…表示制御部、１６…入力受付部、１８…着信受付部、２０…撮影部、２２…顔認識部、２４…端末傾斜度計測部、２６…顔傾斜度計算部、２８…応答可否判定部、３０…着信応答処理部、３２…カメラ。
【図１】
2013197702.tif 000003
【図２】
2013197702.tif 000004
【図３】
2013197702.tif 000005
【図４】
2013197702.tif 000006
【図５】
2013197702.tif 000007
【図６】
2013197702.tif 000008
【図７】
2013197702.tif 000009
【図８】
2013197702.tif 000010
【図９】
2013197702.tif 000011
【図１０】
2013197702.tif 000012
【図１１】
2013197702.tif 000013